(57)【要約】      （修正有）【課題】手術や死産や流産等によって娩出された胎児や、臓器摘出手術等によって摘出した臓器等（以下「胎児等」とする。）を収容して火葬できる棺を提供する。【解決手段】上面開口の箱状の棺本体を形成可能な底板２、妻板３、側板４と、棺本体の上面開口部を閉塞可能な蓋とを備え、妻板、側板にシャーリングを張り、それらを組み合わせて完成される棺本体が、内部に胎児等を収容するのに適したサイズで、内面がシャーリングで飾られた棺となって、胎児等を収容するのに相応しい体裁となるようにした。釘やビス等を使用しなくとも接合可能な接合構造とした。【選択図】図１
2006204806.tif 000002
【特許請求の範囲】
【請求項１】
上方開口の箱状の棺本体を組み立て可能な底板と、二枚の側板と、二枚の妻板と、組み立てた棺本体の上に被せる蓋とを備え、底板と二枚の側板と二枚の妻板を組み立てて完成される棺本体は手術や死産や流産等によって娩出された胎児、手術によって摘出した臓器、それら手術に伴って出る病理廃棄物（以下「胎児等」とする。）の収容に適した小型サイズであり、前記二枚の側板と二枚の妻板の内面にシャーリングが張られていることを特徴とする胎児等用組立て式棺。
【請求項２】
請求項１記載の胎児等用組立て式棺において、底板、二枚の側板、二枚の妻板は組み立て用の嵌合溝、それに嵌合可能な嵌合突起が形成されているか、又は、ダボとそれを差し込み可能なダボ孔が開口されているか、又は、互いに嵌合可能な嵌合溝と嵌合突起を備えたことを特徴とする胎児等用組立て式棺。
【請求項３】
請求項１又は請求項２記載の胎児等用組立て式棺と、棺本体内に敷設可能な油紙、樹脂シート等の非透水性敷き材、敷布団等の敷き具と、棺本体内に収容された胎児等に掛ける掛布団、毛布といった掛け具を備えたことを特徴とする胎児等用組立て式棺セット。
【発明の詳細な説明】
【技術分野】
【０００１】
本発明は、人工妊娠中絶手術、死産、流産等によって娩出された胎児や、負傷や疾患のために摘出手術等によって摘出した臓器、それら手術に伴って出る病理廃棄物（以下「胎児等」とする。）を供養するための胎児等用組立て式棺に関するものである。
【背景技術】
【０００２】
最近改正された廃棄物処理法によれば、病院等において、人工妊娠中絶手術、死産、流産等によって娩出された胎児や、負傷、疾患等のために手術によって摘出した臓器等（以下「胎児等」と記す。）は、当該法律の規定に基づいて焼却処理（火葬処理）しなければならないとされている。胎児は、本来は人間となるべき生命体であり、臓器は身体の一部であるため、それらは人間と同様に又は人間に準ずるものとして供養、火葬等の然るべき処理をされるべきである。
【発明の開示】
【発明が解決しようとする課題】
【０００３】
従来は、胎児や臓器等を収めて火葬処理するのに適した棺が無いため、胎児や臓器等は然るべき処理がされずに廃棄されているのが実情である。
【課題を解決するための手段】
【０００４】
本発明の組立て式棺と組立て式棺セットは、胎児、臓器等を収容して火葬するのに適したサイズに組立て可能であり、それらを供養するのに相応しい体裁を備えたものである。
【０００５】
本件発明の胎児等用組立て式棺は、上方開口の箱状の棺本体を組み立て可能な底板と、二枚の側板と、二枚の妻板を備え、底板と二枚の側板と二枚の妻板を組み立てて形成された棺本体の上に被せる蓋とを備え、底板と二枚の側板と二枚の妻板を組み立てて完成される棺本体は手術や死産や流産等によって娩出された胎児、手術によって摘出した臓器、それら手術に伴って出る病理廃棄物（以下「胎児等」とする。）の収容に適した小型のサイズであり、前記二枚の側板と二枚の妻板の内面にシャーリングが張られているものである。
【０００６】
本件発明の胎児等用組立て式棺は、請求項１記載の胎児等用組立て式棺において、底板、二枚の側板、二枚の妻板は組立て用の嵌合溝、それに嵌合可能な嵌合突起が形成されているか、又は、ダボとそれを差し込み可能なダボ孔が開口されているか、又は、互いに嵌合可能な嵌合溝と嵌合突起を備えたものである。
【０００７】
本件発明の胎児等用組立て式棺セットは、請求項１又は請求項２記載の胎児用組立て式棺と、棺本体内に敷設可能な油紙、樹脂シート等の非透水性敷き材、敷布団等の敷き具と、棺本体内に収容された胎児等に掛ける掛布団、毛布といった掛け具を備えたものである。
【発明の効果】
【０００８】
１．本件出願の請求項１記載の胎児等用組立て式棺は、底板、妻板、側板が組立て式であり、しかも、それらを組立てて完成される棺本体は、胎児等を収容可能なサイズであるため、次のような効果がある。
（１）折り畳んだ状態ではコンパクトであるため、保管に場所をとらず、病院、警察などに備えておくのに適する。
（２）病院、警察などに備えておけば、必要なときに、組立てて使用することができるため胎児等の処理に便利である。
（３）組立てても胎児を収容するのに適したサイズであるため、小型、軽量であり、搬出、運搬も容易である。
２．本件出願の胎児等用組立て式棺は、妻板、側板にシャーリングが張られているため、それらを組み立てれば、棺本体内が胎児等を納棺するのに適した優しいイメージや体裁となり、胎児等の供養に相応しい棺となる。
【０００９】
本件出願の請求項２記載の胎児等用組立て式棺は、底板、妻板、側板に組み立て用の嵌合溝とそれに嵌合可能な嵌合突起、又は、ダボとそれを差し込み可能なダボ孔、又は、互いに嵌合可能な嵌合溝と嵌合突起が形成されているので、溝と嵌合突起との嵌合、ダボ孔へのダボの差し込み、嵌合溝と嵌合突起の嵌合だけで、釘やビス等の留め具、接着剤等を使用しなくとも、手軽に棺本体を組立てることができる。
【００１０】
本件出願の胎児等用組立て式棺セットは、棺本体内に敷設可能な敷き具と掛け具を備えているので、人間の納棺と同様に手厚く供養することができる。
【発明を実施するための最良の形態】
【００１１】
（実施形態１）
本発明の胎児等用組立て式棺の実施形態の一例を図面に基づいて説明する。この胎児等用組立て式棺は図１に示すように、上方開口の棺本体１を形成可能な一枚の底板２と、二枚の妻板３と、二枚の側板４と、棺本体１の上面開口部５を閉塞可能な蓋６とで構成される。棺本体１のサイズは胎児等を収容するのに適したサイズであり、例えば、図３に示すように縦Ｌ×横Ｗ×高さＨを２９５ｍｍ×１７０ｍｍ×１２０ｍｍ程度とするのが適する。
【００１２】
前記底板２は棺本体１の底面を形成する長方形の板材であり、厚さは任意とすることができるが、例えば５ｍｍ〜３ｃｍ程度とすることができる。
【００１３】
前記二枚の妻板３は長方形であり、図２に示すように、その両端には外側広がりの嵌合突起７が縦向きに形成されている。また、妻板３の内面下端寄りには底板２を嵌め込み可能な幅の底板嵌入溝８が横方向に形成されている。
【００１４】
前記側板４は妻板３よりも長い横長であり、図２に示すように内面の両側端部付近に妻板３の嵌合突起７を上方から嵌入可能な嵌合溝９が形成されている。嵌合溝９はその底部から開口部に向けて先細りに形成された蟻溝にして、それに嵌合された嵌合突起７が開口部１０から抜けないようにしてある。また、図２に示すように、側板４の内面の下端部寄りに、前記底板２を嵌め込み可能な底板嵌入溝１２が横方向に形成されている。
【００１５】
前記妻板３、側板４の内面には図１に示すようにシャーリング１３が張られている。シャーリング１３の生地は布、レース、皮革といった任意の物とすることができる。図１のシャーリング１３は夫々、妻板３、側板４の上端面にタッカー１４で固定されて、妻板３の内面に垂らして内面を被覆している。シャーリング１３の固定方法は糊付けとか、両面テープによる接着といった任意の方法とすることができる。シャーリング１３の大きさ、形状等は図１に示すものに限られず任意とすることができる。シャーリング１３には刺繍、模様等を施すこともできる。
【００１６】
前記蓋６は上方開口の棺本体１の上に被せることができる大きさの長方形の板である。
【００１７】
図１に示す一枚の底板２と二枚の妻板３と二枚の側板４とを以下に示すように組合せて上方開口の棺本体１を形成するには、二枚の側板４の底板嵌合溝１２に底板２の長辺２ａを嵌入し、二枚の妻板３の嵌合突起７を二枚の側板４の嵌合溝９にその上方から押し込んで嵌入する。形成された棺本体１は手術、死産、流産等によって娩出された胎児や、臓器摘出手術等によって摘出した臓器等（胎児等）を収容するのに適したサイズで、内面がシャーリング１３で飾られたものとなる。
【００１８】
棺本体１に前記胎児等を収容（納棺）するには、図４に示すように棺本体１の底板２の上に油紙、樹脂シート等の非透水性の敷き材１５を敷いて胎児等の液体や血液等が棺本体１の外部へ漏洩しないようにし、その上に敷布団等の敷き具１６を敷き、その上に前記胎児等１７を載せ、その上から毛布、掛布団等の掛け具１８を掛け、その棺本体１の上に蓋６を被せて、釘、ノックピン（ダボ）、接着剤等の任意の方法で棺本体１に固定する。
【００１９】
（実施形態２）
図５（ａ）の胎児等用組立て式棺は、底板２、妻板３、側板４をノックピン（ダボ）２０で接合できるようにしたものである。そのため、底板２、妻板３、側板４にはダボ２０を差し込み可能な差し込み孔２１が開口され、底板２、妻板３、側板４の孔にダボ２０の一端を差し込み、他端をそれらと対向する他の底板２、妻板３、側板４の差し込み孔２１に差し込むことにより底板２と二枚の妻板３と二枚の側板４を接合できるようにしてある。ダボ２０として図５（ｂ）のように、外周に螺旋状の溝が切られたものを使用すると、接合が確実になる。
【００２０】
（実施形態３）
本発明の胎児等用組立て式棺は図６に示す接合構造とすることもできる。この接合構造は妻板３の両端面の縦方向に嵌合凹部２３と嵌合凸部２４を交互に形成し、側板４の両端面縦方向に妻板３の嵌合凹部２３及び嵌合凸部２４と逆の配置で嵌合凹部２５と嵌合凸部２６を交互に形成し、妻板３の嵌合凸部２４と嵌合側板４の凹部２５、側板４の嵌合凸部２６と妻板３の嵌合凹部２３を互いに嵌入させて接合できるようにしてある。この場合、妻板３と側板４の内面下端寄りに底板嵌入溝を設けて、底板２を嵌入固定できるようにしてある。
【００２１】
（その他の実施形態）
図示した胎児等用組立て式棺の底板２、妻板３、側板４の接合手段は、釘やビス等を使用せずに接合できるようにしたものであるが、場合によっては釘やビス等を使用して接合することもできる。
【産業上の利用可能性】
【００２２】
本発明の胎児等用組立て式棺は、胎児等の供養用の棺には限られず、ペット等の供養用の棺等としても応用することができる。
【図面の簡単な説明】
【００２３】
【図１】本発明の胎児等用組立て式棺の底板、妻板、側板の分解斜視図。
【図２】図１に示す底板、妻板、側板にシャーリングを張る前の分解斜視図。
【図３】本発明の胎児等用組立て式棺の棺本体と蓋との分解斜視図。
【図４】本発明の胎児等用組立て式棺に胎児等を納棺した状態の断面正面図。
【図５】（ａ）は本発明の胎児等用組立て式棺の妻板と側板のダボによる接合方式を示す部分説明図、（ｂ）はダボの一例を示す説明図。
【図６】本発明の胎児等用組立て式棺の妻板と側板の接合方式の他の例を示す部分説明図。
【符号の説明】
【００２４】
１  棺本体
２  底板
３  妻板
４  側板
６  蓋
１３  シャーリング
１６  敷き具
１７  胎児等
１８  掛け具
【図１】
2006204806.tif 000003
【図２】
2006204806.tif 000004
【図３】
2006204806.tif 000005
【図４】
2006204806.tif 000006
【図５】
2006204806.tif 000007
【図６】
2006204806.tif 000008